(57)【要約】      （修正有）【課題】防水パックを用いた水中撮影時に内蔵ストロボを用いてケラレのないストロボ撮影を行う。【解決手段】水中モードに設定すると、ケラレ補正がＯＮされる。撮影を行うと、撮影により得られた画像に対してあらかじめＲＯＭに記録された補正データに基づき画像処理が施され、ケラレのない画像に補正される。この画像処理が施された画像が、撮影画像としてメモリカードに記録される。【選択図】      図５
2007318533.tif 000002
【特許請求の範囲】
【請求項１】
ストロボを内蔵し、防水パックに収容することにより、水中でストロボ撮影が可能なデジタルカメラにおいて、
前記防水パックによってストロボ光のケラレが発生した画像をケラレのない画像に補正するための補正情報が記録された補正情報記憶手段と、
画像補正のＯＮ／ＯＦＦを指示する画像補正指示手段と、
前記画像補正指示手段による画像補正ＯＮの指示に応じて撮影により得られた画像を前記補正情報記憶手段に記録された補正情報に基づいて補正する画像補正手段と、
を備えたことを特徴とするデジタルカメラ。
【請求項２】
ストロボを内蔵し、防水パックに収容することにより、水中でストロボ撮影が可能なデジタルカメラにおいて、
前記防水パックに収容してストロボ撮影することにより得られる画像から該画像をケラレのない画像に補正するための補正情報を生成する補正情報生成手段と、
画像補正のＯＮ／ＯＦＦを指示する画像補正指示手段と、
前記画像補正指示手段による画像補正ＯＮの指示に応じて撮影により得られた画像を前記補正情報生成手段で生成された補正情報に基づいて補正する画像補正手段と、
を備えたことを特徴とするデジタルカメラ。
【請求項３】
マクロ撮影機能のＯＮ／ＯＦＦを検出するマクロ撮影機能検出手段を備え、
前記画像補正指示手段は、前記マクロ撮影機能検出手段によって前記マクロ撮影機能のＯＮが検出されると、画像補正のＯＮを指示し、前記マクロ撮影機能検出手段によって前記マクロ撮影機能のＯＦＦが検出されると、画像補正のＯＦＦを指示することを特徴とする請求項１又は２に記載のデジタルカメラ。
【請求項４】
被写体距離を検出する被写体距離検出手段を備え、
前記画像補正手段は、画像補正のＯＮを指示している場合において、前記被写体距離検出手段で検出される被写体距離が、あらかじめ設定された被写体距離を超えると、画像補正のＯＦＦを指示することを特徴とする請求項３に記載のデジタルカメラ。
【請求項５】
前記防水パックには、前記ストロボから出射されるストロボ光を拡散するためのディフューザが着脱自在に取り付けられることを特徴とする請求項１〜４のいずれか一に記載のデジタルカメラ。
【請求項６】
前記ディフューザの取り付けを検出するディフューザ検出手段を備え、
前記画像補正手段は、前記ディフューザ検出手段で前記ディフューザの取り付けが検出されると、画像補正のＯＮを指示し、前記ディフューザ検出手段によって前記ディフューザの取り外しが検出されると、画像補正のＯＦＦを指示することを特徴とする請求項１又は２に記載のデジタルカメラ。
【請求項７】
オートフォーカスのための補助光を発光する補助光発光手段と、ストロボとを内蔵し、防水パックに収容することにより、水中でストロボ撮影が可能なデジタルカメラにおいて、
前記防水パックには、前記補助光発光手段から出射した補助光が、前記ストロボ光のケラレが発生する領域に向けて照射されるように曲げる光学部材が備えられていることを特徴とするデジタルカメラ。
【発明の詳細な説明】
【技術分野】
【０００１】
本発明はデジタルカメラに係り、特にストロボを内蔵し、防水パックに収容することによって水中でストロボ撮影が可能なデジタルカメラに関する。
【背景技術】
【０００２】
防水機能を備えていない一般的なデジタルカメラで水中撮影を可能にするアイテムとして防水パックが知られている。防水パックは、デジタルカメラを水密状態で収容し、これにより水中撮影を可能にする。
【０００３】
この防水パックでは、デジタルカメラに内蔵されたストロボを用いて水中でストロボ撮影を行うことができるが、レンズ突出タイプのデジタルカメラの防水パックでは、レンズ部分が一回り大きな構成となるため、内蔵ストロボでストロボ撮影を行うと、そのレンズ部分によってストロボ光が遮光され、ケラレが発生するという問題があった。
【０００４】
このような問題は、近接撮影時に顕著になることから、特許文献１では、防水パックに着脱自在に取り付けられる近接撮影用レンズに光ガイド手段を設け、その光ガイド手段によってストロボ光を所定位置まで導光することが提案されている。
【０００５】
また、特許文献２では、内蔵ストロボをポップアップ式のストロボとし、ケラレが発生しないようにすることが提案されている。
【特許文献１】特開２００５−１４８２８２号公報
【特許文献２】特開２００５−２２７３８４号公報
【発明の開示】
【発明が解決しようとする課題】
【０００６】
しかしながら、特許文献１の方法では、別途光ガイド手段が必要になり、構成が大型化するという欠点や、近接撮影以外は使用できないという欠点がある。
【０００７】
また、特許文献２の方法では、ストロボがポップアップする分、防水パックの容積が増え、大型化するとともに空気による浮力が発生し、使い勝手が悪くなるという欠点がある。
【０００８】
本発明は、このような事情に鑑みてなされたもので、防水パックを用いた水中撮影時に内蔵ストロボを用いてケラレのないストロボ撮影を行うことができるデジタルカメラを提供することを目的とする。
【課題を解決するための手段】
【０００９】
請求項１に係る発明は、前記目的を達成するために、ストロボを内蔵し、防水パックに収容することにより、水中でストロボ撮影が可能なデジタルカメラにおいて、前記防水パックによってストロボ光のケラレが発生した画像をケラレのない画像に補正するための補正情報が記録された補正情報記憶手段と、画像補正のＯＮ／ＯＦＦを指示する画像補正指示手段と、前記画像補正指示手段による画像補正ＯＮの指示に応じて撮影により得られた画像を前記補正情報記憶手段に記録された補正情報に基づいて補正する画像補正手段と、を備えたことを特徴とするデジタルカメラを提供する。
【００１０】
請求項１に係る発明によれば、画像補正指示手段によって、画像補正ＯＮが指示されると、撮影により得られた画像に対して画像補正手段によって画像処理が施され、ケラレのない画像に補正される。
【００１１】
請求項２に係る発明は、前記目的を達成するために、ストロボを内蔵し、防水パックに収容することにより、水中でストロボ撮影が可能なデジタルカメラにおいて、前記防水パックに収容してストロボ撮影することにより得られる画像から該画像をケラレのない画像に補正するための補正情報を生成する補正情報生成手段と、画像補正のＯＮ／ＯＦＦを指示する画像補正指示手段と、前記画像補正指示手段による画像補正ＯＮの指示に応じて撮影により得られた画像を前記補正情報生成手段で生成された補正情報に基づいて補正する画像補正手段と、を備えたことを特徴とするデジタルカメラを提供する。
【００１２】
請求項２に係る発明によれば、画像補正指示手段によって、画像補正ＯＮが指示されると、撮影により得られた画像に対して画像補正手段によって画像処理が施され、ケラレのない画像に補正される。この際、画像補正手段は、補正情報生成手段で生成された補正情報に基づいて画像処理を施し、補正情報生成手段は、防水パックに収容してストロボ撮影することにより得られる画像から当該画像をケラレのない画像に補正するための補正情報を生成する。
【００１３】
請求項３に係る発明は、前記目的を達成するために、マクロ撮影機能のＯＮ／ＯＦＦを検出するマクロ撮影機能検出手段を備え、前記画像補正指示手段は、前記マクロ撮影機能検出手段によって前記マクロ撮影機能のＯＮが検出されると、画像補正のＯＮを指示し、前記マクロ撮影機能検出手段によって前記マクロ撮影機能のＯＦＦが検出されると、画像補正のＯＦＦを指示することを特徴とする請求項１又は２に記載のデジタルカメラを提供する。
【００１４】
請求項３に係る発明によれば、マクロ撮影機能のＯＮ／ＯＦＦに連動して、画像補正指示手段が画像補正のＯＮ／ＯＦＦを指示する。すなわち、マクロ撮影機能検出手段がマクロ撮影機能のＯＮを検出すると、画像補正手段が画像補正のＯＮを指示し、マクロ撮影機能検出手段がマクロ撮影機能のＯＦＦを検出すると、画像補正手段が画像補正のＯＦＦを指示する。
【００１５】
請求項４に係る発明は、前記目的を達成するために、被写体距離を検出する被写体距離検出手段を備え、前記画像補正手段は、画像補正のＯＮを指示している場合において、前記被写体距離検出手段で検出される被写体距離が、あらかじめ設定された被写体距離を超えると、画像補正のＯＦＦを指示することを特徴とする請求項３に記載のデジタルカメラを提供する。
【００１６】
請求項４に係る発明によれば、マクロ撮影機能がＯＮされ、画像補正のＯＮが指示されている場合であっても、被写体距離が、あらかじめ設定されている距離を超えると、画像補正のＯＦＦが指示される。すなわち、画像補正のＯＮを指示されている場合において、被写体距離検出手段で検出される被写体距離が、あらかじめ設定された被写体距離を超えると、画像補正指示手段が画像補正のＯＦＦを指示する。これにより、不要な補正が行われるのを防止することができる。
【００１７】
請求項５に係る発明は、前記目的を達成するために、前記防水パックには、前記ストロボから出射されるストロボ光を拡散するためのディフューザが着脱自在に取り付けられることを特徴とする請求項１〜４のいずれか一に記載のデジタルカメラを提供する。
【００１８】
請求項５に係る発明によれば、ディフューザを取り付けることにより、ケラレの発生を抑制することができる。
【００１９】
請求項６に係る発明は、前記目的を達成するために、前記ディフューザの取り付けを検出するディフューザ検出手段を備え、前記画像補正手段は、前記ディフューザ検出手段で前記ディフューザの取り付けが検出されると、画像補正のＯＮを指示し、前記ディフューザ検出手段によって前記ディフューザの取り外しが検出されると、画像補正のＯＦＦを指示することを特徴とする請求項１又は２に記載のデジタルカメラを提供する。
【００２０】
請求項６に係る発明によれば、ディフューザの着脱に連動して、画像補正指示手段が画像補正のＯＮ／ＯＦＦを指示する。すなわち、ディフューザ検出手段でディフューザの取り付けが検出されると、画像補正指示手段は、画像補正のＯＮを指示し、ディフューザ検出手段によってディフューザの取り外しが検出されると、画像補正指示手段は、画像補正のＯＦＦを指示する。
【００２１】
請求項７に係る発明は、前記目的を達成するために、オートフォーカスのための補助光を発光する補助光発光手段と、ストロボとを内蔵し、防水パックに収容することにより、水中でストロボ撮影が可能なデジタルカメラにおいて、前記防水パックには、前記補助光発光手段から出射した補助光が、前記ストロボ光のケラレが発生する領域に向けて照射されるように曲げる光学部材が備られていることを特徴とするデジタルカメラを提供する。
【００２２】
請求項７に係る発明によれば、防水パックに光学部材が備えられており、補助光発光手段から補助光を発光すると、この光学部材によって曲げられ、ストロボ光のケラレが発生する領域に照射される。
【発明の効果】
【００２３】
本発明に係るデジタルカメラによれば、防水パックを用いた水中撮影時に内蔵ストロボを用いてケラレのないストロボ撮影を行うことができる。
【発明を実施するための最良の形態】
【００２４】
以下、添付図面を参照して本発明に係るデジタルカメラを実施するための最良の形態について説明する。
【００２５】
図１、図２は、それぞれ本発明に係るデジタルカメラの第１の実施の形態の外観構成を示す正面斜視図と背面斜視図である。
【００２６】
このデジタルカメラ１０は、後述する防水パック２００に収容することにより、水中での撮影が可能なデジタルカメラであって、そのカメラボディ１２は、薄く四角い箱状に形成されている。
【００２７】
カメラボディ１２の正面には、図１に示すように、撮影レンズ１４、ストロボ（内蔵ストロボ）１６、セルフタイマランプ１８、ＡＦ補助光ランプ２０等が設けられており、上面には、シャッタボタン２２、モードレバー２４、電源ボタン２６等が設けられている。
【００２８】
一方、カメラボディ１２の背面には、図２に示すように、モニタ２８、ズームボタン３０、再生ボタン３２、ファンクションボタン３４、十字ボタン３６、ＭＥＮＵ／ＯＫボタン３８、ＤＩＳＰ／ＢＡＣＫボタン４０等が設けられている。
【００２９】
また、図示されていないが、カメラボディ１２の底面には、三脚ネジ穴及び開閉自在なバッテリカバーが設けられており、バッテリカバーの内側には、バッテリを収納するためのバッテリ収納室及びメモリカードを装着するためのメモリカードスロットが設けられている。
【００３０】
撮影レンズ１４は、沈胴式のズームレンズで構成されており、デジタルカメラ１０の電源をＯＮすると、カメラボディ１２から繰り出される。なお、撮影レンズ１４のズーム機構や沈胴機構については、公知の技術なので、ここではその構成についての具体的な説明は省略する。
【００３１】
ストロボ１６は、たとえばキセノン管で構成されており、撮影時に必要に応じて発光される。
【００３２】
セルフタイマランプ１８は、たとえばＬＥＤで構成されており、セルフタイマ撮影時に所定の態様で発光、点滅して撮影タイミングを被写体に告知する。また、後述する自分撮りモード時に所定の態様で発光、点滅して撮影者に撮影タイミングを告知する。
【００３３】
ＡＦ補助光ランプ２０は、たとえば高輝度ＬＥＤ構成されており、ＡＦ時に必要に応じて発光される。
【００３４】
シャッタボタン２２は、いわゆる「半押し」と「全押し」とからなる二段ストローク式のスイッチで構成されている。デジタルカメラ１０は、このシャッタボタン２２を半押しすると撮影準備、すなわち、ＡＥ（Automatic Exposure：自動露出）、ＡＦ（Auto Focus：自動合焦）、ＡＷＢ（Automatic White Balance：自動ホワイトバランス）を行い、全押すると、画像の記録を行う。
【００３５】
モードレバー２４は、撮影モードの設定に用いられる。このモードレバー２４は、シャッタボタン２２の周りを所定の角度の範囲で揺動自在に設けられており、「ＳＰ位置」、「ＡＵＴＯ位置」、「Ｍ位置」、「動画位置」にセット可能に設けられている。デジタルカメラ２４は、このモードレバー２４を「ＳＰ位置」にセットすることにより、「シーンプログラム撮影モード」に設定され、撮影シーンに応じた露出制御、撮影制御を行うモードに設定される。また、「ＡＵＴＯ位置」にセットすることにより、「オート撮影モード」に設定され、露出制御を全自動で行うモードに設定される。また、「Ｍ位置」に設定されることにより、「マニュアル撮影モード」に設定され、露出設定を手動で行うモードに設定される。また、「動画位置」に設定することにより、「動画撮影モード」に設定され、動画を撮影するモードに設定される。
【００３６】
なお、本実施の形態のデジタルカメラ１０では、「シーンプログラム撮影モード」として、人物撮影を行う「人物モード」、風景撮影を行う「風景モード」、スポーツ撮影を行う「スポーツモード」、夜景撮影を行う「夜景モード」、水中撮影を行う「水中モード」が用意されているものとし、使用するモードの設定は、メニュー画面で行うものとする。すなわち、メニュー画面に表示されるメニュー項目の一つとして「シーンプログラム撮影モード」の設定項目が用意されており、この「シーンプログラム撮影モード」の設定項目でモードレバー２４を「ＳＰ位置」にセットした時のモードを選択できるようにされている。
【００３７】
電源ボタン２６は、デジタルカメラ１０の電源をＯＮ／ＯＦＦするのに用いられ、所定時間（たとえば、２秒）押下されることにより、デジタルカメラ１０の電源がＯＮ／ＯＦＦされる。
【００３８】
モニタ２８は、カラーＬＣＤで構成されている。このモニタ２８は、撮影済み画像を表示するための画像表示部として利用されるとともに、各種設定時にＧＵＩとして利用される。また、撮影時には、撮像素子で捉えた画像がスルー表示されて、電子ファインダとして利用される。
【００３９】
ズームボタン３０は、撮影レンズ１４のズーム操作に用いられ、望遠側へのズームを指示するズームテレボタンと、広角側へのズームを指示するズームワイドボタンとで構成されている。
【００４０】
再生ボタン３２は、再生モードへの切り替え指示に用いられる。すなわち、デジタルカメラ１０は、撮影中、この再生ボタン３２が押されると、再生モードに切り替えられる。また、電源ＯＦＦの状態でこの再生ボタン３２が押されると、再生モードの状態でデジタルカメラ１０が起動する。
【００４１】
ファンクションボタン３４は、撮影及び再生機能の各種設定画面の呼び出しに用いられる。すなわち、撮影時に、このファンクションボタン３４が押されると、モニタ２８に画像サイズ（記録画素数）、感度等の設定画面が表示され、再生時に、このファンクションボタン４が押されると、モニタ２８にプリント予約（ＤＰＯＦ）の設定画面が表示される。
【００４２】
十字ボタン３６は、上下左右４方向に押圧操作可能に設けられており、各方向のボタンには、カメラの設定状態に応じた機能が割り当てられる。すなわち、たとえば、撮影時には、左ボタンにマクロ機能のＯＮ／ＯＦＦを切り替える機能が割り当てられ、右ボタンにストロボモードを切り替える機能が割り当てられる。また、上ボタンにモニタ２８の明るさを替える機能が割り当てられ、下ボタンにセルフタイマのＯＮ／ＯＦＦを切り替える機能が割り当てられる。また、再生時には、左ボタンにコマ送りの機能が割り当てられ、右ボタンにコマ戻しの機能が割り当てられる。また、上ボタンにモニタ２８の明るさを替える機能が割り当てられ、下ボタンに再生中の画像を削除する機能が割り当てられる。また、各種設定時には、モニタ２８に表示されたカーソルを各ボタンの方向に移動させる機能が割り当てられる。
【００４３】
ＭＥＮＵ／ＯＫボタン３８は、メニュー画面の呼び出し（ＭＥＮＵ機能）に用いられるとともに、選択内容の確定、処理の実行指示等（ＯＫ機能）に用いられ、デジタルカメラ１０の設定状態に応じて割り当てられる機能が切り替えられる。
【００４４】
ＤＩＳＰ／ＢＡＣＫボタン４０は、モニタ２８の表示内容の切り替え指示（ＤＩＳＰ機能）に用いられるとともに、入力操作のキャンセル等の指示（ＢＡＣＫ機能）に用いられ、デジタルカメラ１０の設定状態に応じて割り当てられる機能が切り替えられる。
【００４５】
図３は、上記のデジタルカメラ１０が収容される防水パック２００の外観構成を示す斜視図である。
【００４６】
同図に示すように、この防水パック２００は、裏面が開口した本体２０２と、その本体２０２の裏面を開閉する裏蓋２０４とからなり、デジタルカメラ１０を収容した本体２０２の裏面を裏蓋２０４で閉じることにより、デジタルカメラ１０を水密状態で収容する。
【００４７】
裏蓋２０４は、ヒンジ（図２０参照）によって本体２０２の左側部に開閉自在に取り付けられており、本体２０２の右側部に設けられた開閉ノブ２０６によって本体２０２にロックされる。
【００４８】
ここで、この裏蓋２０４によって閉じられる本体２０２の裏面には、その周縁に沿ってＯリングが取り付けられており、裏蓋２０４は、このＯリングに押し付けられながら開閉ノブ２０６によって本体２０２にロックされる。これにより、デジタルカメラ１０が水密状態で収容される。
【００４９】
本体２０２の正面には、図３に示すように、レンズリング２０８、ディフューザ２１０、ＡＦ補助光窓２１２、シャッタレバー２１４が設けられており、上面には、モードダイヤル２１６、電源ボタン２１８等が設けられている。
【００５０】
レンズリング２０８は、本体２０２の正面に筒状の突出部として形成されており、デジタルカメラ１０から繰り出された撮影レンズ１４を収容する。このレンズリング２０８の先端には、レンズ窓２０８Ａが取り付けられており、被写体光は、このレンズ窓２０８Ａを介して撮影レンズ１４に入射される。
【００５１】
ディフューザ２１０は、板状に形成されており、防水パック２００に収容されたデジタルカメラ１０のストロボ１６の手前に位置するように配置されている。防水パック２００に収容されたデジタルカメラ１０のストロボ１６から発光されたストロボ光は、このディフューザ２１０によって拡散される。
【００５２】
ＡＦ補助光窓２１２は、防水パック２００に収容されたデジタルカメラ１０のＡＦ補助光ランプ２０の手前に位置するように配置されている。防水パック２００に収容されたデジタルカメラ１０のＡＦ補助光ランプ２０から出射されたＡＦ補助光は、このＡＦ補助光窓２１２を透過して被写体に照射される。
【００５３】
シャッタレバー２１４は、本体２０２の正面に水密状態で揺動自在に設けられている。防水パック２００に収容されたデジタルカメラ１０のシャッタボタン２２は、本体２０２の内部に設けられた図示しない連動機構によって、このシャッタレバー２１４の揺動動作に連動して動作するように構成されている。すなわち、このシャッタレバー２１４を揺動させることにより、防水パック２００に収容されたデジタルカメラ１０のシャッタボタン２２が押圧されるように構成されている。
【００５４】
モードダイヤル２１６は、本体２０２の上面に水密状態で回動自在に設けられている。防水パック２００に収容されたデジタルカメラ１０のモードレバー２４は、図示しない連動機構によって、このモードダイヤル２１６の回動動作に連動して動作するように構成されている。すなわち、このモードダイヤル２１６を回動させることにより、防水パック２００に収容されたデジタルカメラ１０のモードレバー２４が揺動されるように構成されている。
【００５５】
電源ボタン２１８は、本体２０２の上面に水密状態で押圧可能に設けられている。防水パック２００に収容されたデジタルカメラ１０の電源ボタン２６は、図示しない連動機構によって、この電源ボタン２１８の押圧動作に連動して押圧されるように構成されている。
【００５６】
なお、図示されていないが、裏蓋２０４には、防水パック２００に収容されたデジタルカメラ１０のズームボタン３０、再生ボタン３２、ファンクションボタン３４、十字ボタン３６、ＭＥＮＵ／ＯＫボタン３８、ＤＩＳＰ／ＢＡＣＫボタン４０に対応してズームボタン、再生ボタン、ファンクションボタン、十字ボタン、ＭＥＮＵ／ＯＫボタン、ＤＩＳＰ／ＢＡＣＫボタンが設けられており、各ボタンを押圧操作することにより、対応するボタンが押圧されるように構成されている。
【００５７】
また、モニタ２８の位置に対応してモニタ窓が設けられており、モニタ２８の表示を観察できるように構成されている。
【００５８】
図４は、デジタルカメラ１０の電気的構成を示すブロック図である。同図に示すように、デジタルカメラ１０は、ＣＰＵ１１０、操作部（シャッタボタン２２、モードレバー２４、電源ボタン２６、ズームボタン３０、再生ボタン３２、ファンクションボタン３４、十字ボタン３６、ＭＥＮＵ／ＯＫボタン３８、ＤＩＳＰ／ＢＡＣＫボタン４０等）１１２、ＲＯＭ１１４、ＲＡＭ１１６、ＥＥＰＲＯＭ１１８、ＶＲＡＭ１２０、撮影光学系１２４、撮影光学系駆動制御部１２６、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、ケラレ補正部１４２、メディアコントローラ１４４、メモリカード１４６、表示制御部１４８、ＡＥ／ＡＷＢ検出部１５２、ＡＦ検出部１５４、ストロボ制御部１５６、ＡＦ補助光ランプ制御部１５８等で構成されている。
【００５９】
ＣＰＵ１１０は、デジタルカメラ１０の全体の動作を統括制御する制御手段として機能するとともに、各種の演算処理を行う演算手段として機能し、操作部１１２からの入力に基づき所定の制御プログラムに従ってデジタルカメラ１０の各部を制御する。
【００６０】
ＲＯＭ１１４には、このＣＰＵ１１０が実行する制御プログラム及び制御に必要な各種データ等が格納されており、ＥＥＰＲＯＭ１１８には、ユーザ設定情報等の各種設定情報等が格納されている。
【００６１】
ＲＡＭ１１６は、ＣＰＵ１１０の作業用領域として利用されるとともに、画像データの一時記憶領域として利用され、ＶＲＡＭ１２０は、表示用の画像データ専用の一時記憶領域として利用される。
【００６２】
撮影光学系１２４は、撮影レンズ１４、絞り、シャッタを含み、モータ等のアクチュエータで構成される撮影光学系駆動部１２４Ａに駆動されて動作する。
【００６３】
撮影光学系駆動制御部１２６は、ＣＰＵ１１０からの指令に応じて撮影光学系駆動部１２４Ａの駆動を制御し、撮影レンズ１４、絞り、シャッタの動作を制御する。
【００６４】
撮像素子１２８は、たとえば所定のカラーフィルタ配列のカラーＣＣＤで構成されている。この撮像素子１２８には、ＣＰＵ１１０によって制御されるタイミングジェネレータ（ＴＧ）１３０が接続されており、このＴＧ１３０から入力されるタイミング信号（クロックパルス）により、電子シャッタのシャッタ速度が決定される。
【００６５】
アナログ信号処理部１３２は、撮像素子１２８から出力された画像信号に対して相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）を行い、増幅して出力する。
【００６６】
Ａ／Ｄコンバータ１３４は、アナログ信号処理部１３２から出力されたＲ、Ｇ、Ｂのアナログの画像信号をデジタルの画像信号に変換する。
【００６７】
画像入力コントローラ１３６は、所定容量のラインバッファを内蔵しており、ＣＰＵ１１０からの指令に従い、Ａ／Ｄコンバータ１３４から出力された１画像分の画像信号を蓄積して、ＲＡＭ１１６に格納する。
【００６８】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施し、輝度データ（Ｙデータ）と色差データ（Ｃｒ，Ｃｂデータ）とからなる画像データ（ＹＵＶデータ）を生成する。
【００６９】
圧縮伸張処理部１４０は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００７０】
ケラレ補正部１４２は、ＣＰＵ１１０からの指令に従い、水中モードでストロボ撮影された画像データに対して所定の画像処理を施し、ケラレ補正を行う。すなわち、ストロボ光のケラレが発生した画像に対して所定の画像処理を施すことにより、ケラレのない画像に補正する。このケラレ補正の処理は、水中モードでストロボ撮影された画像に対してのみ行われる。処理の具体的内容については、後に詳述する。
【００７１】
メディアコントローラ１４４は、ＣＰＵ１１０からの指令に従い、メディアスロットに装填されたメモリカード１４６に対してデータの読み／書きを制御する。
【００７２】
表示制御部１４８は、ＣＰＵ１１０からの指令に従い、モニタ２８への表示を制御する。すなわち、ＣＰＵ１１０からの指令に従い、入力された画像信号をモニタ２８に表示するための映像信号（たとえば、ＮＴＳＣ信号やＰＡＬ信号、ＳＣＡＭ信号）に変換してモニタ２８に出力するとともに、所定の文字、図形情報をモニタ２８に出力する。
【００７３】
ＡＥ／ＡＷＢ検出回路１５２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出回路１５２から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００７４】
ＡＦ検出部１５４は、ＣＰＵ１１０からの指令に従い、入力された画像信号からＡＦ制御に必要な物理量を算出する。本実施の形態のデジタルカメラ１０では、画像のコントラストによりＡＦ制御を行うものとし、ＡＦ検出部１５４は、入力された画像信号から画像の鮮鋭度を示す焦点評価値を算出する。ＣＰＵ１１０は、このＡＦ検出部１５４で算出される焦点評価値が極大となるように、撮影光学系駆動制御部１２６を介して撮影光学系駆動部１２４Ａの駆動を制御し、フォーカスレンズの移動を制御する。
【００７５】
ストロボ制御部１５６は、ＣＰＵ１１０からの指令に従ってストロボ１６の発光を制御する。
【００７６】
ＡＦ補助光ランプ制御部１５８は、ＣＰＵ１１０からの指令に従ってＡＦ補助光ランプ２０の発光を制御する。すなわち、ＣＰＵ１１０は、ＡＦ時に被写体が暗いと判断すると、あるいは、被写体のコントラストが低いと判断すると、ＡＦ補助光ランプ制御部１５８を介してＡＦ補助光ランプ２０を発光させ、被写体にＡＦ補助光を照射させてＡＦ制御を実行する。
【００７７】
本実施の形態のデジタルカメラ１０は、以上のように構成される。
【００７８】
まず、本実施の形態のデジタルカメラ１０における通常の撮影モード（水中モード以外の撮影モード）での画像記録の処理手順について説明する。
【００７９】
デジタルカメラ１０は、電源ボタン２６を押下すると、撮影モードの下で起動する。
【００８０】
まず、撮影光学系駆動制御部１２６を介して撮影光学系駆動部１２４Ａが駆動され、撮影レンズ１４が所定位置まで繰り出される。
【００８１】
そして、撮影レンズ１４が所定位置まで繰り出されると、撮像素子１２８によってスルー画像用の撮影が行われ、モニタ２８にスルー画像が表示される。
【００８２】
すなわち、撮像素子１２８で連続的に画像が撮像され、その画像信号が連続的に処理されて、スルー画像用の画像データが生成される。生成された画像データは、ＶＲＡＭ１２０を介して順次表示制御部１４８に加えられ、表示用の信号形式に変換されてモニタ２８に出力される。これにより、撮像素子１２８で捉えた画像がモニタ２８にスルー表示される。
【００８３】
撮影者は、このモニタ２８に表示されたスルー画像を見て構図を決定し、シャッタボタン２２を半押しする。
【００８４】
シャッタボタン２２が半押しされると、ＣＰＵ１１０にＳ１ＯＮ信号が入力される。ＣＰＵ１１０は、このＳ１ＯＮ信号に応動して、撮影準備処理、すなわち、ＡＥ、ＡＦ、ＡＷＢの各処理を実行する。
【００８５】
まず、撮像素子１２８から出力された画像信号をアナログ信号処理部１３２、Ａ／Ｄコンバータ１３４、画像入力コントローラ１３６を介してＲＡＭ１１６に取り込み、ＡＥ／ＡＷＢ検出部１５２及びＡＦ検出部１５４に加える。
【００８６】
ＡＥ／ＡＷＢ検出部１５２は、入力された画像信号からＡＥ制御及びＡＷＢ制御に必要な物理量を算出し、ＣＰＵ１１０に出力する。ＣＰＵ１１０は、このＡＥ／ＡＷＢ検出部１５２からの出力に基づき、絞り値とシャッタースピードを決定するとともに、ホワイトバランス補正値を決定する。
【００８７】
また、ＡＦ検出部１５４は、入力された画像信号からＡＦ制御に必要な物理量を算出し、ＣＰＵ１１０に出力する。ＣＰＵ１１０は、このＡＦ検出部１５４からの出力に基づき撮影光学系駆動制御部１２６を介して撮影光学系駆動部１２４Ａの駆動を制御し、フォーカスレンズの移動を制御して、撮影レンズ１４のピントを主要被写体に合わせる。
【００８８】
撮影者は、モニタ２８に表示されるスルー画像を確認し、撮影レンズ１４のピント状態等を確認して撮影を実行する。すなわち、シャッタボタン２２を全押しする。
【００８９】
シャッタボタン２２が全押しされると、ＣＰＵ１１０にＳ２ＯＮ信号が入力される。ＣＰＵ１１０は、このＳ２ＯＮ信号に応動して、撮影、記録処理を実行する。
【００９０】
まず、上記のＡＥ処理で求めた絞り値、シャッタースピードで撮像素子１２８を露光し、記録用の画像信号の取り込みを行う。
【００９１】
撮像素子１２８から出力された一コマ分の画像信号は、アナログ信号処理部１３２、Ａ／Ｄコンバータ１３４を介して画像入力コントローラ１３６に取り込まれ、ＲＡＭ１１６に格納される。ＲＡＭ１１６に格納された画像信号は、ＣＰＵ１１０の制御の下、画像信号処理部１３８に加えられる。画像信号処理部１３８は、入力された画像信号に所定の信号処理を施して、輝度データと色差データとからなる画像データ（ＹＵＶデータ）を生成する。
【００９２】
画像信号処理部１３８で生成された画像データは、一旦ＲＡＭ１１６に格納されたのち、圧縮伸張処理部１４０に加えられる。圧縮伸張処理部１４０は、入力された画像データに対して所定の圧縮処理を施し、圧縮画像データを生成する。
【００９３】
圧縮された画像データは、ＲＡＭ１１６に格納され、所定フォーマットの静止画像ファイル（たとえば、Ｅｘｉｆ）として、メディアコントローラ１４４を介してメモリカード１４６に記録される。
【００９４】
以上が通常の撮影モード（水中撮影モード以外のモード）での画像記録の処理手順である。
【００９５】
このようにしてメモリカード１４６に記録された画像データは、デジタルカメラ１０のモードを再生モードに設定することにより、モニタ２８に再生表示することができる。
【００９６】
再生モードへの移行は、再生ボタン３２を押下することにより行われる。
【００９７】
再生ボタン３２が押下されると、ＣＰＵ１１０は、メディアコントローラ１４４を介してメモリカード１４６に最後に記録された画像ファイルの圧縮画像データを読み出す。
【００９８】
メモリカード１４６から読み出された圧縮画像データは、圧縮伸張処理部１４０に加えられ、非圧縮の画像データとされたのちＶＲＡＭ１２０に加えられる。そして、ＶＲＡＭ１２０から表示制御部１４８を介してモニタ２８に出力される。これにより、メモリカード１４６に記録されている画像がモニタ２８に再生表示される。
【００９９】
画像のコマ送りは、十字ボタン３６の左右のキー操作で行なわれ、右キーが操作されると、次の画像ファイルがメモリカード１４６から読み出され、モニタ２８に再生表示される。また、十字ボタン３６の左キーが操作されると、一つ前の画像ファイルがメモリカード１４６から読み出され、モニタ２８に再生表示される。
【０１００】
次に、本実施の形態のデジタルカメラ１０における水中モードでの画像記録の処理手順について説明する。
【０１０１】
上記のように、水中モードでは、ストロボ撮影が行われると、撮影された画像データに対してケラレ補正部１４２でケラレ補正が施される。
【０１０２】
図５は、本実施の形態のデジタルカメラ１０における水中モードでの画像記録の処理手順を示すフローチャートである。
【０１０３】
まず、ＣＰＵ１１０は、現在設定されている撮影モードを確認し、水中モードに設定されているか否かを判定する（ステップＳ１０）。なお、上記のように、本実施の形態のデジタルカメラ１０では、メニュー画面で「シーンプログラム撮影モード」の設定を「水中モード」に設定し、モードレバー２４を「ＳＰ位置」にセットすることで、水中モードに設定される。
【０１０４】
ここで、水中モード以外のモードに設定されていると判定すると、ＣＰＵ１１０は、ケラレ補正をＯＦＦし（ステップＳ１２）、設定されている撮影モードでの画像記録の処理を実行する。
【０１０５】
一方、水中モードに設定されていると判定すると、ＣＰＵ１１０は、ケラレ補正をＯＮする（ステップＳ１１）。そして、シャッタボタン２２からの入力に基づいて撮影指示の有無を判定する（ステップＳ１３）。
【０１０６】
この判定の結果、撮影指示アリと判定すると（Ｓ２ＯＮ信号が入力されると）、ＣＰＵ１１０は、ストロボ１６を発光させて撮影処理を実行し（ステップＳ１４）、その撮影により得られた画像データに対してケラレ補正の処理を行って（ステップＳ１５）、補正後の画像データをメモリカード１４６に記録する（ステップＳ１６）。
【０１０７】
ここで、このケラレ補正の処理は、次のように行われる。すなわち、画像に生じるストロボ光のケラレ部は、図６に示すように、ストロボ光が防水パック２００のレンズリング２０８に遮光されることにより発生するが、その発生状況は、被写体距離（撮像素子の受光面から主要被写体までの距離）とストロボ光量に応じて変化する（ストロボ１６、レンズリング２０８、ディフューザ２１０の位置は固定されているので）。
【０１０８】
したがって、被写体距離とストロボ光量が分かれば、ケラレの発生状況が分かる。そして、このケラレの発生状況があらかじめ分かれば、画像処理の方法も決めることができる。すなわち、ケラレのない画像に補正するための画像処理の方法も決めることができる。
【０１０９】
そこで、本実施の形態のデジタルカメラ１０では、被写体距離とストロボ光量に関連付けてケラレの補正方法をデータベース化し、ＲＯＭ１１４に格納している。
【０１１０】
このケラレの補正方法としては、たとえば、図７（ｂ）に示すように、画面を多数の領域に分割し、ケラレ部に属する領域は「１」、ケラレ部に属さない領域は「０」として、「１」の領域に輝度を上げる等の補正を行う。このような補正データを被写体距離とストロボ光量に応じて作成し、データベースとしてＲＯＭ１１４に格納する。
【０１１１】
なお、このような特定の領域について輝度を上げる等の画像処理については、公知の技術であるので、ここでは、その具体的な処理の方法の説明は省略する。
【０１１２】
また、補正データの量は、多ければ多いほど、高精度なケラレ補正を行うことができるが、補正データの量を増やすと、ＲＯＭ１１４の容量を圧迫することになるので、ＲＯＭ１１４の容量等に応じて適宜最適な量に設定することが好ましい。すなわち、一定の被写体距離ごと、ストロボ光量ごとに作成することが好ましい。
【０１１３】
また、領域分割は、細分化すればするほど、高精度なケラレ補正を行うことができるが、この場合もＲＯＭ１１４の容量やＣＰＵ１１０の処理能力等に応じて適宜最適な量に設定することが好ましい。なお、高精度なケラレ補正を行う場合には、画素単位で画像補正を行うようにしてもよい。
【０１１４】
また、上記の例では、ケラレ部の輝度を一律に上げてケラレ補正を行う場合を例に説明したが、一般にケラレ部は、図７（ａ）に示すように、画面の隅に行く程、暗くなる傾向にあるので、このケラレの発生状況に応じて補正を行うようにしてもよい。すなわち、画面の隅に行く程、輝度が上がるように補正するようにしてもよい。これにより、より高精度なケラレ補正を行うことができる。
【０１１５】
ＣＰＵ１１０は、水中モードに設定され、ケラレ補正がＯＮされると、上記のＲＯＭ１１４に格納されたケラレの補正データに基づき撮影により得られた画像データに対してケラレ補正の処理を実行する（ステップＳ１５）。すなわち、撮影時の被写体距離とストロボ光量とに基づいてＲＯＭ１１４に格納されたデータベースからケラレの補正データを取得し、ケラレ補正部１４２に加える。これと同時に撮影により得られた画像データ、すなわち、画像信号処理部１３８で生成された画像データをケラレ補正部１４２に加える。
【０１１６】
ケラレ補正部１４２は、入力されたケラレの補正データに基づいて画像データを画像処理し、ケラレ補正を行う。すなわち、図７に示すように、ケラレの発生した画像（同図（ａ）））に対してケラレのない画像（同図（ｃ））に補正する。
【０１１７】
このようにしてケラレ補正が施された画像データは、一旦ＲＡＭ１１６に格納されたのち、圧縮伸張処理部１４０に加えられる。そして、所定の圧縮処理が施された後、ＲＡＭ１１６に格納され、所定フォーマットの静止画像ファイル（たとえば、Ｅｘｉｆ）として、メディアコントローラ１４４を介してメモリカード１４６に記録される（ステップＳ１６）。
【０１１８】
このようにケラレ補正の設定がＯＮされると、ＣＰＵ１１０は、撮影により得られた画像データに対してケラレ補正の処理を行い（ステップＳ１５）、そのケラレ補正した画像データをメモリカード１４６に記録する（ステップＳ１６）。
【０１１９】
この後、ＣＰＵ１１０は、撮影終了の指示（電源オフ、あるいは、再生モードへの移行の指示）の有無を判定する（ステップＳ１７）。そして、撮影終了が指示されたと判定すると、処理を終了し、撮影終了の指示なしと判定すると、ステップＳ１０に戻り、上記一連の処理を再度実行する。
【０１２０】
このように、本実施の形態のデジタルカメラ１０では、水中モードでストロボ撮影が行われると、その撮影により得られた画像に対して画像処理が施され、ケラレのない画像に補正される。これにより、結果として、ケラレのない画像を撮影することができる。
【０１２１】
なお、上記実施の形態では、デジタルカメラ１０のＲＯＭ１１４にあらかじめ格納されたケラレ補正のデータに基づき被写体距離とストロボ光量とからケラレ補正を行うようにしているが、本撮影の前にストロボ１６をプリ発光させ、その画像データからケラレの補正データを生成して、ケラレ補正を行うようにしてもよい。
【０１２２】
以下、このストロボ１６をプリ発光させて得たケラレの補正データに基づくケラレ補正の方法について説明する。
【０１２３】
まず、ケラレの補正データの生成方法について説明する。
【０１２４】
ストロボ調光センサのないデジタルカメラでは、撮影時のストロボ１６の発光時間や発光量を決定するために、本撮影に先立ってストロボ１６をプリ発光させる。このストロボ１６のプリ発光は、シャッタボタン２２の半押しに応動して行われ、プリ発光させて得られた画像データに基づき本撮影時のストロボ１６の発光時間や発光量が決定される。
【０１２５】
ケラレの補正データは、このストロボ１６をプリ発光させて得られた画像データに基づき生成する。たとえば、図８に示すように、プリ発光させて得られた画像を複数のエリアに分割し、分割したエリアごとの輝度を算出し、正常なエリア（たとえば、中心）の輝度をリファレンスとして、あらかじめ設定された閾値から各エリアの補正値を設定する。たとえば、正常なエリアの輝度との輝度差に応じて各エリアの補正値を設定する。
【０１２６】
なお、ＡＥ処理では、１画面を複数のエリア（たとえば１６×１６）に分割し、分割したエリアごとにＲ、Ｇ、Ｂの画像信号の積算値を算出するので、このＡＥ処理における、各エリアの積算値情報を利用して、各エリアの補正値を求めることが好ましい。すなわち、ＡＥ／ＡＷＢ検出回路１５２から得られる各エリアの積算値情報を利用して、各エリアの輝度を算出し、各エリアの補正値を設定することが好ましい。
【０１２７】
このようにケラレの補正データは、ストロボ１６をプリ発光させて得られた画像データに基づき生成する。これにより、より高精度にケラレ補正を行うことができるようになる。
【０１２８】
なお、本例では、ＡＥ／ＡＷＢ検出回路１５２から得られる各エリアの積算値情報に基づき、あらかじめ用意した補正データの生成プログラムを利用してＣＰＵ１１０でケラレの補正データを生成するものとする。
【０１２９】
図９は、ストロボ１６をプリ発光させてケラレ補正を行う場合の処理手順を示すフローチャートである。
【０１３０】
まず、ＣＰＵ１１０は、現在設定されている撮影モードを確認し、水中モードに設定されているか否かを判定する（ステップＳ２０）。
【０１３１】
ここで、水中モード以外のモードに設定されていると判定すると、ＣＰＵ１１０は、ケラレ補正をＯＦＦし（ステップＳ２２）、設定されている撮影モードでの画像記録の処理を実行する。
【０１３２】
一方、水中モードに設定されていると判定すると、ＣＰＵ１１０は、ケラレ補正をＯＮする（ステップＳ２１）。そして、シャッタボタン２２からの入力に基づいてシャッタボタン２２の半押しの有無を判定する（ステップＳ２２）。
【０１３３】
ここで、シャッタボタン２２が半押しされたと判定すると、ＣＰＵ１１０は、ストロボ１６をプリ発光させ（ステップＳ２４）、そのストロボ１６をプリ発光させて得られた画像データからケラレの補正データを生成する（ステップＳ２５）。そして、そのケラレの補正データの生成の成否を判定する（ステップＳ２６）。
【０１３４】
この判定の結果、ケラレの補正データが生成できていないと判定すると、ＣＰＵ１１０は、ステップＳ２４に戻り、再度、ストロボ１６をプリ発光させ（ステップＳ２４）、そのストロボ１６をプリ発光させて得られた画像データからケラレの補正データを生成する（ステップＳ２５）。
【０１３５】
一方、ケラレの補正データが生成できた判定すると、ＣＰＵ１１０は、シャッタボタン２２の全押しの有無を判定する（ステップＳ２７）。そして、シャッタボタン２２が全押しされたと判定すると、ストロボ１６を発光させて撮影を実行し（ステップＳ２８）、撮影により得られた画像データに対して、生成した補正データを利用して、ケラレ補正の処理を実行する（ステップＳ２９）。すなわち、プリ発光の画像データから求めたケラレの補正データをケラレ補正部１４２に加えるとともに、撮影により得られた画像データをケラレ補正部１４２に加える。ケラレ補正部１４２は、入力されたケラレの補正データに基づいて画像データを画像処理し、ケラレ補正を行う。
【０１３６】
このようにしてケラレ補正が施された画像データは、一旦ＲＡＭ１１６に格納されたのち、圧縮伸張処理部１４０に加えられる。そして、所定の圧縮処理が施された後、ＲＡＭ１１６に格納され、所定フォーマットの静止画像ファイル（たとえば、Ｅｘｉｆ）として、メディアコントローラ１４４を介してメモリカード１４６に記録される（ステップＳ３０）。
【０１３７】
このように、水中モードでストロボ撮影が行われると、ＣＰＵ１１０は、撮影により得られた画像データに対してケラレ補正の処理を行い（ステップＳ２９）、そのケラレ補正した画像データをメモリカード１４６に記録する（ステップＳ３０）。
【０１３８】
この画像記録後、ＣＰＵ１１０は、撮影終了の指示（電源オフ、あるいは、再生モードへの移行の指示）の有無を判定する（ステップＳ３１）。そして、撮影終了が指示されたと判定すると、処理を終了し、撮影終了の指示なしと判定すると、ステップＳ２０に戻り、上記一連の処理を再度実行する。
【０１３９】
以上説明したように、ケラレ補正のデータは、ストロボ１６をプリ発光させて生成してもよい。これにより、より高精度なケラレ補正を行うことができる。
【０１４０】
なお、上記実施の形態において、水中モードの設定は、「シーンプログラム撮影モード」の設定を「水中モード」に設定するとともに、モードレバー２４を「ＳＰ位置」に設定することで行っているが、水中モードの設定方法は、これに限定されるものではない。たとえば、専用の設定ボタンをカメラボディ１２に設け、このボタンのボタン操作で設定するようにしてもよい。
【０１４１】
また、デジタルカメラ１０が防水パック２００に収容されたことを検出し、自動的に水中モードに切り替えるようにしてもよい。この点については、後に詳述する。
【０１４２】
また、上記実施の形態では、防止パック２００にディフューザ２１０を設けているが、ディフューザ２１０は、必ずしも必要なものではない。ただし、ディフューザ２１０を使用することにより、ケラレの発生を効果的に抑止することができるので、防水パック２００に取り付けることが好ましい。この場合において、ディフューザ２１０は、図１０に示すように、レンズリング２０８の先端部近傍に設置することが好ましい。
【０１４３】
なお、このディフューザ２１０を防水パック２００に着脱自在に取り付けられるようにしてもよい。たとえば、図１１に示すように、ディフューザ２１０が一体的に取り付けられたブラケット２５０を防水パック２００に着脱自在に取り付けられるように構成する。ブラケット２５０は、たとえば、防水パック２００の底面に形成された三脚用ネジ穴２５２に取付ネジ２５４でネジ止めすることにより、防水パック２００に取り付ける構成とする。
【０１４４】
なお、このようにディフューザ２１０を着脱可能な構成にする場合、ディフューザ２１０の着脱に連動させて、ケラレ補正のＯＮ／ＯＦＦの切り替えを自動で行うようにしてもよい。すなわち、ディフューザ２１０の着脱を検出する手段を設け、この検出手段（ディフューザ検出手段）でディフューザ２１０の取り付けが検出されると、ケラレ補正がＯＮし、ディフューザ２１０の取り外しが検出されると、ケラレ補正がＯＦＦする構成とする。
【０１４５】
図１２は、ディフューザ２１０の着脱に連動して、ケラレ補正のＯＮ／ＯＦＦを切り替える場合の画像記録の処理手順を示すフローチャートである。
【０１４６】
まず、ＣＰＵ１１０は、ディフューザ検出手段の検出結果から防水パック２００にディフューザ２１０が取り付けられているか否かを判定する（ステップＳ４０）。
【０１４７】
ここで、ディフューザ２１０が取り付けられていないと判定すると、ＣＰＵ１１０は、ケラレ補正をＯＦＦし（ステップＳ４２）、設定されている撮影モードでの画像記録の処理を実行する。
【０１４８】
一方、ディフューザ２１０が取り付けられていると判定すると、ＣＰＵ１１０は、ケラレ補正をＯＮする（ステップＳ４１）。そして、シャッタボタン２２からの入力に基づいて撮影指示の有無を判定する（ステップＳ４３）。
【０１４９】
この判定の結果、撮影指示アリと判定すると（Ｓ２ＯＮ信号が入力されると）、ＣＰＵ１１０は、ストロボ１６を発光させて撮影処理を実行し（ステップＳ４４）、その撮影により得られた画像データに対してケラレ補正の処理を行って（ステップＳ４５）、補正後の画像データをメモリカード１４６に記録する（ステップＳ４６）。
【０１５０】
なお、ここでのケラレ補正の処理は、あらかじめＲＯＭ１１４に記録されたケラレ補正の補正データに基づいて行ってもよいし、また、ストロボ１６のプリ発光の結果から求めたケラレ補正の補正データに基づいて行ってもよい。
【０１５１】
この後、ＣＰＵ１１０は、撮影終了の指示（電源オフ、あるいは、再生モードへの移行の指示）の有無を判定する（ステップＳ４７）。そして、撮影終了が指示されたと判定すると、処理を終了し、撮影終了の指示なしと判定すると、ステップＳ４０に戻り、上記一連の処理を再度実行する。
【０１５２】
このように、ディフューザ２１０の着脱に連動させて自動的にケラレ補正のＯＮ／ＯＦＦを切り替えることにより、煩わしい設定操作や設定忘れを防止でき、操作性が向上する。
【０１５３】
なお、ディフューザ２１０の着脱を検出する検出手段（ディフューザ検出手段）としては、たとえば、図１１に示した三脚用ネジ穴２５２を利用してディフューザ２１０を取り付ける構成の防水パック２００の場合、三脚用ネジ穴２５２への取付ネジ２５４の取り付けを検出して、ディフューザ２１０の着脱を検出する構成とすることができる。すなわち、たとえば、図１３に示すように、防水パック２００の三脚用ネジ穴２５２の内部に軸線に沿ってピン２５６をスライド自在に一方、デジタルカメラ１０の三脚用ネジ穴５０の内部に押圧によりＯＮする検出スイッチ２５８を設ける。ディフューザ２１０を取り付けるために、防水パック２００の三脚用ネジ穴２５２に取付ネジ２５４を螺合させると、図１３（ｂ）に示すように、その取付ネジ２５４によって、ピン２５６が押圧され、デジタルカメラ１０の三脚用ネジ穴５０に挿入されて、検出スイッチ２５８を押圧する。
【０１５４】
ＣＰＵ１１０は、この検出スイッチ２５８が押圧されたことを検出することにより、ディフューザ２１０が取り付けられたことを検出し、ケラレ補正をＯＮする。
【０１５５】
なお、上記の例では、ピン２５６によって、三脚用ネジ穴５０の内部に設けられた検出スイッチ２５８が押されるように構成されているが、他のスイッチが押されるように構成してもよい。
【０１５６】
この他、ディフューザ２１０に所定の識別情報が記録されたＩＣタグ（ＲＦＩＤ、無線タグと同義）を設けるとともに、デジタルカメラ１０にＩＣタグリーダを設け、当該ＩＣタグリーダでディフューザ２１０のＩＣタグに記録された識別情報を読み取ることによって、ディフューザ２１０が取り付けられたことを検出するようにしてもよい。
【０１５７】
また、上記実施の形態では、水中モードに設定されると、自動的にケラレ補正がＯＮされる構成とされているが、ストロボ光のケラレは、主として近接撮影（マクロ撮影）時に発生することから、近接撮影時にのみケラレ補正をＯＮする構成としてもよい。たとえば、水中モードに設定されている場合であっても、近接撮影機能（マクロ機能）がＯＦＦされている場合は、ケラレ補正をＯＦＦし、マクロ機能がＯＮされると、ケラレ補正をＯＮする構成とする。
【０１５８】
上記のデジタルカメラ１０では、十字ボタン３６の左ボタンにマクロ機能のＯＮ／ＯＦＦを切り替える機能が割り当てられているので（撮影時）、この十字ボタン３６の左ボタンからの入力に基づいてマクロ機能のＯＮ／ＯＦＦを判定し、ケラレ補正のＯＮ／ＯＦＦを設定する。
【０１５９】
図１４は、マクロ機能のＯＮ／ＯＦＦに連動して、ケラレ補正のＯＮ／ＯＦＦを切り替える場合の画像記録の処理手順を示すフローチャートである。
【０１６０】
まず、ＣＰＵ１１０は、水中モードに設定されているか否かを判定する（ステップＳ５０）。
【０１６１】
ここで、水中モードに設定されていないと判定すると、ＣＰＵ１１０は、ケラレ補正をＯＦＦし（ステップＳ６０）、設定されている撮影モードでの画像記録の処理を実行する。
【０１６２】
一方、水中モードに設定されていると判定すると、マクロ機能がＯＮされているか否かを判定する（ステップＳ５１）。
【０１６３】
この判定の結果、マクロ機能がＯＮされていると判定すると、ＣＰＵ１１０は、ケラレ補正をＯＮし（ステップＳ５２）、マクロ機能がＯＦＦされていると判定すると、ケラレ補正をＯＦＦする（ステップＳ５３）。
【０１６４】
この後、ＣＰＵ１１０は、シャッタボタン２２からの入力に基づいて撮影指示の有無を判定する（ステップＳ５４）。そして、撮影指示アリと判定すると（Ｓ２ＯＮ信号が入力されると）、ＣＰＵ１１０は、ストロボ１６を発光させて撮影処理を実行する（ステップＳ５５）。
【０１６５】
撮影処理を実行すると、ＣＰＵ１１０は、ケラレ補正がＯＮされているか否か判定し（ステップＳ５６）、ケラレ補正がＯＮされていると判定すると、その撮影により得られた画像データに対してケラレ補正の処理を行って（ステップＳ５７）、補正後の画像データをメモリカード１４６に記録する（ステップＳ５８）。
【０１６６】
なお、ここでのケラレ補正の処理は、あらかじめＲＯＭ１１４に記録されたケラレ補正の補正データに基づいて行ってもよいし、また、ストロボ１６のプリ発光の結果から求めたケラレ補正の補正データに基づいて行ってもよい。
【０１６７】
一方、ケラレ補正がＯＦＦされていると判定すると、ケラレ補正の処理を行うことなく撮影により得られた画像データをメモリカード１４６に記録する（ステップＳ５８）。
【０１６８】
この後、ＣＰＵ１１０は、撮影終了の指示（電源オフ、あるいは、再生モードへの移行の指示）の有無を判定する（ステップＳ５９）。そして、撮影終了が指示されたと判定すると、処理を終了し、撮影終了の指示なしと判定すると、ステップＳ４０に戻り、上記一連の処理を再度実行する。
【０１６９】
このように、マクロ機能のＯＮ／ＯＦＦに連動させて、自動的にケラレ補正のＯＮ／ＯＦＦを切り替えることにより、適切な補正処理を行うことができる。
【０１７０】
なお、マクロ機能がＯＮされている場合であっても、被写体距離が一定以上離れているときには、ケラレの影響はなくなることから、マクロ機能がＯＮされている場合であっても、被写体距離が一定以上離れているときには、ケラレ補正を強制的にＯＦＦすることが好ましい。
【０１７１】
図１５は、被写体距離に応じてケラレ補正のＯＮ／ＯＦＦを切り替える場合の画像記録の処理手順を示すフローチャートである。
【０１７２】
まず、ＣＰＵ１１０は、水中モードに設定されているか否かを判定する（ステップＳ７０）。
【０１７３】
ここで、水中モードに設定されていないと判定すると、ＣＰＵ１１０は、ケラレ補正をＯＦＦし（ステップＳ８２）、設定されている撮影モードでの画像記録の処理を実行する。
【０１７４】
一方、水中モードに設定されていると判定すると、マクロ機能がＯＮされているか否かを判定する（ステップＳ７１）。
【０１７５】
この判定の結果、マクロ機能がＯＮされていると判定すると、ＣＰＵ１１０は、ケラレ補正をＯＮし（ステップＳ７２）、マクロ機能がＯＦＦされていると判定すると、ケラレ補正をＯＦＦする（ステップＳ７３）。
【０１７６】
この後、ＣＰＵ１１０は、シャッタボタン２２からの入力に基づいて撮影指示の有無を判定する（ステップＳ７４）。そして、撮影指示アリと判定すると（Ｓ２ＯＮ信号が入力されると）、ＣＰＵ１１０は、ストロボ１６を発光させて撮影処理を実行する（ステップＳ７５）。
【０１７７】
撮影処理を実行すると、ＣＰＵ１１０は、撮影時の被写体距離が、あらかじめ設定された閾値（たとえば、８０ｃｍ）以下か否か判定する（ステップＳ７６）。
【０１７８】
ここで、撮影時の被写体距離が閾値以上であると判定すると、ＣＰＵ１１０は、ケラレ補正を強制的にＯＦＦする（ステップＳ７７）。すなわち、マクロ機能がＯＮされて、ケラレ補正がＯＮされている場合であっても、ケラレ補正の設定を強制的にＯＦＦにする。
【０１７９】
この後、ＣＰＵ１１０は、ケラレ補正がＯＮされているか否か判定し（ステップＳ７８）、ケラレ補正がＯＮされていると判定すると、その撮影により得られた画像データに対してケラレ補正の処理を行って（ステップＳ７９）、補正後の画像データをメモリカード１４６に記録する（ステップＳ８０）。
【０１８０】
一方、ケラレ補正がＯＦＦされていると判定すると、ケラレ補正の処理を行うことなく撮影により得られた画像データをメモリカード１４６に記録する（ステップＳ８０）。
【０１８１】
この後、ＣＰＵ１１０は、撮影終了の指示（電源オフ、あるいは、再生モードへの移行の指示）の有無を判定する（ステップＳ８１）。そして、撮影終了が指示されたと判定すると、処理を終了し、撮影終了の指示なしと判定すると、ステップＳ４０に戻り、上記一連の処理を再度実行する。
【０１８２】
このように、マクロ機能がＯＮされている場合であっても、被写体距離が一定以上離れている場合は、ケラレ補正を自動的にＯＦＦすることにより、適切な補正処理を行うことができる。
【０１８３】
なお、被写体距離は、ＡＦの結果を利用して求めることができる。すなわち、ＡＦは、主要被写体にピントが合うようにフォーカスレンズを移動させることにより行われるので、このフォーカスレンズの位置が分かれば、主要被写体までの距離を算出することができる。したがって、このＡＦの結果を利用することにより、被写体距離を求めることができる。
【０１８４】
この他、測距センサをデジタルカメラに設けて、被写体距離を検出するようにしてもよい。この場合、測距センサの出力を利用して、ＡＦ制御を行うことが好ましい。
【０１８５】
なお、ケラレ補正を強制的にＯＦＦする被写体距離は、ストロボ光量や、レンズリングとストロボ、ディフューザとの位置関係等で定まるので、デジタルカメラ及び防水パックの仕様に応じて適宜設定することが好ましい。また、ユーザが任意に設定できるようにしてもよい。
【０１８６】
図１６は、本発明に係るデジタルカメラの第２の実施の形態の概略構成図である。
【０１８７】
同図に示すように、本実施の形態のデジタルカメラでは、ＡＦ補助光をケラレ部に照射して、ケラレの発生を防止する。
【０１８８】
なお、デジタルカメラ及び防水パックの基本的な構成は、上記実施の形態のデジタルカメラ１０と同じなので、同じ構成部材には、同じ符号を付して、その説明は省略する。
【０１８９】
通常、ＡＦ補助光ランプ２０は、図１７に示すように、画面中央にＡＦ補助光が照射されるように設定されている。したがって、このＡＦ補助光ランプ２０から出射されたＡＦ補助光をケラレ部に照射するために、ＡＦ補助光ランプ２０から出射されたＡＦ補助光を曲げる必要がある。
【０１９０】
本実施の形態のデジタルカメラでは、図１６に示すように、防水パック２００のＡＦ補助光窓２１２に光学部材２１２Ａを組み込み、この光学部材２１２ＡによってＡＦ補助光ランプ２０から出射されたＡＦ補助光を曲げるように構成している。
【０１９１】
なお、光学部材２１２Ａとしては、プリズム等を用いることができる。
【０１９２】
図１８は、第２の実施の形態のデジタルカメラにおける画像記録の処理手順を示すフローチャートである。
【０１９３】
まず、ＣＰＵ１１０は、デジタルカメラ１０が防水パック２００に収容されているか否か、すなわち、水中モードに設定されているか否かを判定する（ステップＳ９０）。
【０１９４】
水中モードに設定されていると判定すると、ＣＰＵ１１０は、シャッタボタン２２の半押しの有無を判定する（ステップＳ９１）。そして、シャッタボタン２２が半押しされたと判定すると（Ｓ１ＯＮ信号が入力されると）、ＣＰＵ１１０は、ＡＦ補助光をＯＦＦした状態でＡＦ制御を実行する（ステップＳ９２）。すなわち、この場合、ケラレ部にＡＦ補助光が照射され、ＡＦ補助光を発光させても効果がないので、ＡＦ補助光をＯＦＦにしてＡＦ制御を実行する。
【０１９５】
この後、ＣＰＵ１１０は、シャッタボタン２２の全押しの有無を判定し（ステップＳ９３）、シャッタボタン２２が全押しされたと判定すると、撮影処理を実行する（ステップＳ９４）。
【０１９６】
このとき、ＣＰＵ１１０は、ストロボ１６を発光させるとともに、ＡＦ補助光ランプ２０を発光させ、撮影を実行する。
【０１９７】
ＡＦ補助光ランプ２０から出射されたＡＦ補助光は、ＡＦ補助光窓２１２に組み込まれた光学部材２１２Ａを透過することにより、進行方向が曲げられ、ストロボ光のケラレ部に照射される。これにより、ケラレ部の画像が撮像される。
【０１９８】
撮影により得られた画像は、所要の信号処理を施された後、メモリカード１４６に記録される（ステップＳ９５）。
【０１９９】
このように、ステップＳ９０において、水中モードに設定されていると判定すると、ＣＰＵ１１０は、ストロボ１６を発光させるとともにＡＦ補助光を発光させて、撮影を行い、ストロボ光のケラレ部にＡＦ補助光を照射して、ケラレの発生を防止する。
【０２００】
一方、ステップＳ９０において、水中モードに設定されていないと判定すると、すなわち、デジタルカメラ１０が防水パック２００に収容されていないと判定すると、ＣＰＵ１１０は、次のように、撮影、記録処理を実行する。
【０２０１】
すなわち、まず、ＣＰＵ１１０は、シャッタボタン２２の半押しの有無を判定する（ステップＳ９７）。そして、シャッタボタン２２が半押しされたと判定すると（Ｓ１ＯＮ信号が入力されると）、ＣＰＵ１１０は、ＡＦ制御を実行する（ステップＳ９８）。この際、ＣＰＵ１１０は、必要に応じてＡＦ補助光を発光させてＡＦ制御を実行する。
【０２０２】
この後、ＣＰＵ１１０は、シャッタボタン２２の全押しの有無を判定し（ステップＳ９９）、シャッタボタン２２が全押しされたと判定すると、撮影処理を実行する（ステップＳ１００）。このとき、ＣＰＵ１１０は、必要に応じてストロボ１６を発光させて撮影を実行する（ＡＦ補助光ランプ２０はＯＦＦ）。そして、得られた画像をメモリカード１４６に記録する（ステップＳ９５）。
【０２０３】
このように、水中モードに設定されていないと判定すると、ＣＰＵ１１０は、ＡＦ時に必要に応じてＡＦ補助光を発光させ、ＡＦ制御を実行する。そして、撮影時は、ＡＦ補助光ランプをＯＦＦし、必要に応じてストロボ１６を発光させて、撮影を実行する。
【０２０４】
この後、ＣＰＵ１１０は、撮影終了の指示（電源オフ、あるいは、再生モードへの移行の指示）の有無を判定する（ステップＳ９６）。そして、撮影終了が指示されたと判定すると、処理を終了し、撮影終了の指示なしと判定すると、ステップＳ９０に戻り、上記一連の処理を再度実行する。
【０２０５】
このように、本実施の形態のデジタルカメラでは、デジタルカメラを防水パックに収容してストロボ撮影する際、ＡＦ補助光をケラレ部に照射して、ケラレの発生を防止する。これにより、ケラレのない良好な画像を撮影することができる。
【０２０６】
また、上記実施の形態では、ＡＦ補助光ランプ２０から出射したＡＦ補助光をケラレ部に向けて曲げる手段として、プリズム等の光学手段を用いているが、ＡＦ補助光をケラレ部に向けて曲げる構成は、これに限定されるものではない。
【０２０７】
たとえば、ＡＦ補助光ランプ自体を首振り可能に支持し、ＡＦ補助光の照射方向を変えられるようにしてもよい。この場合、自動でＡＦ補助光ランプの向きを変えられるようにしてもよいし、また、手動でＡＦ補助光ランプの向きを変えられるようにしてもよい。また、自動でＡＦ補助光ランプの向きを変える場合は、水中モードに連動して変えるように構成する。
【０２０８】
また、ＡＦ補助光ランプ自体の向きを変えられるようにする場合、水中モードであっても、必要に応じてＡＦ補助光を発光させて、ＡＦ制御を行うことが好ましい。これにより、低コントラスト時においても適切にＡＦ制御を行うことができる。
【０２０９】
なお、上記実施の形態では、ユーザが手動で水中モードに設定することとしているが、上記のように、デジタルカメラが防水パックに収容されたことを検出し、自動で水中モードに設定してもよい。
【０２１０】
以下、デジタルカメラの撮影モードを水中モードに自動設定する方法について説明する。
【０２１１】
図１９は、デジタルカメラ１０が防水パック２００に収容されたことを検出する機構の概略構成図である。
【０２１２】
同図に示すように、デジタルカメラ１０のカメラボディ１２の正面に所定の検出ボタン３００を設置する。一方、防水パック２００には、その内壁面に当該検出ボタン３００を押圧するための凸部３０２を形成する。
【０２１３】
すなわち、デジタルカメラ１０が防水パック２００に収容されると、その正面に設けられた検出ボタン３００が、防水パック２００の内壁面に形成された凸部３０２に押圧される構成とする。
【０２１４】
検出ボタン３００の押圧情報は、ＣＰＵ１１０に出力され、ＣＰＵ１１０は、この検出ボタン３００が押された状態で電源が投入されたことを検出すると、デジタルカメラ１０が防水パック２００に収容されているものと判断し、水中モードに自動的に切り替える。
【０２１５】
なお、この検出ボタン３００は、デジタルカメラ１０が、防水パック２００に収容されたことを検出するためだけに用いてもよいが、水中モード以外のモードで使用するときは、他の機能を割り当てるようにしてもよい。たとえば、モニタの表示切り替えの機能や、再生モードへの切り替えの指示、コンティニュアスＡＦを指示する機能等を割り当てるようにしてもよい。
【０２１６】
また、既存のボタンに当該検出ボタンの機能を割り当ててもよい。この場合、水中での使用頻度が低いボタン（たとえば、再生ボタンやＤＩＳＰボタン、コンティニュアスＡＦボタン等）に当該ボタンの機能を割り当てることが好ましい。たとえば、再生ボタン３２に当該検出ボタンの機能を割り当てた場合、デジタルカメラ１０を防水パック２００に収容した際、再生ボタン３２を押圧するように、防水パック２００の内壁面に凸部３０２を形成する。
【０２１７】
図２０は、デジタルカメラ１０が防水パック２００に収容されたことを検出する機構の他の例の説明図である。
【０２１８】
同図に示すように、カメラボディ１２の上面にスライド式のモードスイッチ３０４を設置する。このモードスイッチ３０４は、そのスライド位置によって、たとえば、「水中モード」、「ビーチモード」、「花火モード」等のモードに設定されるように構成する。
【０２１９】
一方、防水パック２００の内部上面には、デジタルカメラ１０を収容する際、このモードスイッチ３０４に係合して、強制的にモードスイッチ３０４を水中モードの位置にスライドさせる係合部３０６を形成する。
【０２２０】
すなわち、本例では、デジタルカメラ１２を防水パック２００に収容すると、その上面に設けられたモードスイッチ３０４が、防水パック２００の内部上面に設けられた係合部３０６に係合し、強制的に水中モードの位置に位置するように構成する。
【０２２１】
ＣＰＵ１１０は、このモードスイッチ３０４が水中モードに設定された状態で電源が投入されたことを検出すると、デジタルカメラ１０が防水パック２００に収容されているものと判断し、水中モードに自動的に切り替える。
【０２２２】
なお、上記のモードスイッチ３０４は、「水中モード」のＯＮ／ＯＦＦの設定のみに使用するようにしてもよい。すなわち、ＯＮ位置とＯＦＦ位置との間をスライド自在に設け、デジタルカメラ１０が防水パック２００に収容されると、防水パック２００の係合部３０６に係合して、ＯＮ位置に移動するように構成する。
【０２２３】
図２１は、デジタルカメラ１０が防水パック２００に収容されたことを検出する機構の他の例の説明図である。
【０２２４】
同図に示すように、防水パック２００の内部底面にピン３０８を立設する。このピン３０８は、図２２に示すように、スプリング３１０を介して防水パック２００の内部底面から出没自在に設け、デジタルカメラ１０を防水パック２００に収容すると、そのデジタルカメラ１０の底面に設けられた三脚用ネジ穴５０に嵌入されるように設置する。
【０２２５】
一方、デジタルカメラ１０の三脚用ネジ穴５０には、その嵌入されたピン３０８に押圧されてＯＮする検出スイッチ３１２を設ける。
【０２２６】
すなわち、本例では、デジタルカメラ１２を防水パック２００に収容すると、その三脚用ネジ穴５０内に設置された検出スイッチ３１２が、防水パック２００の内部底面に設けられたピン３０８によって押圧されるように構成する。
【０２２７】
ＣＰＵ１１０は、この検出スイッチ３１２がＯＮされた状態で電源が投入されたことを検出すると、デジタルカメラ１０が防水パック２００に収容されているものと判断し、水中モードに自動的に切り替える。
【０２２８】
図２３は、デジタルカメラ１０が防水パック２００に収容されたことを検出する機構の他の例の説明図である。
【０２２９】
同図に示すように、防水パック２００にＩＣタグ３１４を取り付けるとともに、デジタルカメラ１０に、このＩＣタグ３１４を読み取るＩＣタグリーダ３１６を設置する。
【０２３０】
ＣＰＵ１１０は、このＩＣタグリーダ３１６で防水パック２００に取り付けられたＩＣタグ３１４から所定の識別情報を読み取ることにより、デジタルカメラ１０が防水パック２００に収容されていることを検出し、水中モードに自動的に切り替える。
【０２３１】
なお、このようなＩＣタグを用いる場合、次のように構成することもできる。すなわち、図２４に示すように、防水パック２００の本体２０２にＩＣタグの本体部３１４Ａを設置するとともに、防水パック２００の裏蓋２０４にそのＩＣタグのアンテナ部３１４Ｂを設置する。本体部３１４Ａとアンテナ部３１４Ｂは、それぞれ防水パック２００の本体２０２と裏蓋２０４に設置された接点３１８Ａ、３１８Ｂに接続し、各接点３１８Ａ，３１８Ｂは、裏蓋２０４を閉じると、互いに接続されるように構成する。
【０２３２】
すなわち、防水パック２００の裏蓋２０４を閉じると、ＩＣタグの本体部３１４Ａとアンテナ部３１４Ｂとが接続され、通信できるように構成する。これにより、ＩＣタグは、裏蓋２０４が閉じられたときのみ通信可能になり、裏蓋２０４が、しっかりと閉じられたことの検出も行うことができるようになる。
【０２３３】
なお、防水パック２００に取り付けるＩＣタグは、プラスチック等で防水パック２００を成形する際、同時に埋め込んで取り付けることが好ましい。
【０２３４】
また、ＩＣタグの取付位置は、デジタルカメラ１０に設置したＩＣタグリーダ３１６で読み取り可能な位置であれば、特に限定されるものではない。なお、誤検出を防ぐため、防水パック２００に収容されたデジタルカメラ１０のＩＣタグリーダ３１６に近接して設置することが好ましい。
【０２３５】
以上の他、デジタルカメラ１０に水中を検出する手段（たとえば、水深計等）を設け、水中に入れられたことが検出されると、自動的に水中モードに設定されるようにしてもよい。
【図面の簡単な説明】
【０２３６】
【図１】デジタルカメラの外観構成を示す正面斜視図
【図２】デジタルカメラの外観構成を示す背面斜視図
【図３】防水パックの外観構成を示す斜視図
【図４】デジタルカメラの電気的構成を示すブロック図
【図５】水中モードでの画像記録の処理手順を示すフローチャート
【図６】ストロボ光のケラレの説明図
【図７】ケラレ補正の方法の概念図
【図８】プリ発光させた画像に基づくケラレの補正データの生成方法の概念図
【図９】ストロボをプリ発光させてケラレ補正を行う場合の処理手順を示すフローチャート
【図１０】ディフューザの他の取り付け例を示す図
【図１１】ディフューザの他の取り付け例を示す図
【図１２】ディフューザの着脱に連動して、ケラレ補正のＯＮ／ＯＦＦを切り替える場合の画像記録の処理手順を示すフローチャート
【図１３】ディフューザの着脱を検出する機構の説明図
【図１４】マクロ機能のＯＮ／ＯＦＦに連動して、ケラレ補正のＯＮ／ＯＦＦを切り替える場合の画像記録の処理手順を示すフローチャート
【図１５】被写体距離に応じてケラレ補正のＯＮ／ＯＦＦを切り替える場合の画像記録の処理手順を示すフローチャート
【図１６】本発明に係るデジタルカメラの第２の実施の形態の概略構成図
【図１７】通常撮影時におけるＡＦ補助光の照射状態の説明図
【図１８】第２の実施の形態のデジタルカメラにおける画像記録の処理手順を示すフローチャート
【図１９】デジタルカメラが防水パックに収容されたことを検出する機構の概略構成図
【図２０】デジタルカメラが防水パックに収容されたことを検出する機構の他の例の説明図
【図２１】デジタルカメラが防水パックに収容されたことを検出する機構の他の例の説明図
【図２２】デジタルカメラが防水パックに収容されたことを検出する機構の他の例の説明図
【図２３】デジタルカメラが防水パックに収容されたことを検出する機構の他の例の説明図
【図２４】デジタルカメラが防水パックに収容されたことを検出する機構の他の例の説明図
【符号の説明】
【０２３７】
１０…デジタルカメラ、１２…カメラボディ、１４…撮影レンズ、１６…ストロボ、１８…セルフタイマランプ、２０…ＡＦ補助光ランプ、２２…シャッタボタン、２４…モードレバー、２６…電源ボタン、２８…モニタ、３０…ズームボタン、３２…再生ボタン、３４…ファンクションボタン、３６…十字ボタン、３８…ＭＥＮＵ／ＯＫボタン、４０…ＤＩＳＰ／ＢＡＣＫボタン、５０…三脚用ネジ穴、１１０…ＣＰＵ、１１２…操作部、１１４…ＲＯＭ、１１６…ＲＡＭ、１１８…ＥＥＰＲＯＭ、１２０…ＶＲＡＭ、１２４…撮影光学系、１２６…撮影光学系駆動制御部、１２８…撮像素子、１３０…タイミングジェネレータ、１３２…アナログ信号処理部、１３４…Ａ／Ｄコンバータ、１３６…画像入力コントローラ、１３８…画像信号処理部、１４０…圧縮伸張処理部、１４２…ケラレ補正部、１４４…メディアコントローラ、１４６…メモリカード、１４８…表示制御部、１５２…ＡＥ／ＡＷＢ検出部、１５４…ＡＦ検出部、１５６…ストロボ制御部、１５８…ＡＦ補助光ランプ制御部、２００…防水パック、２０２…本体、２０４…裏蓋、２０６…開閉ノブ、２０８…レンズリング、２０８Ａ…レンズ窓、２１０…ディフューザ、２１２…ＡＦ補助光窓、２１２Ａ…光学部材、２１４…シャッタレバー、２１６…モードダイヤル、２１８…電源ボタン、２５０…ブラケット、２５２…三脚用ネジ穴、２５４…取付ネジ、２５６…ピン、２５８…検出スイッチ、３００…検出ボタン、３０２…凸部、３０４…モードスイッチ、３０６…係合部、３０８…ピン、３１０…スプリング、３１２…検出スイッチ、３１４…ＩＣタグ、３１４Ａ…本体部、３１４Ｂ…アンテナ部、３１６…ＩＣタグリーダ、３１８Ａ、３１８Ｂ…接点
【図１】
2007318533.tif 000003
【図２】
2007318533.tif 000004
【図３】
2007318533.tif 000005
【図４】
2007318533.tif 000006
【図５】
2007318533.tif 000007
【図６】
2007318533.tif 000008
【図７】
2007318533.tif 000009
【図８】
2007318533.tif 000010
【図９】
2007318533.tif 000011
【図１０】
2007318533.tif 000012
【図１１】
2007318533.tif 000013
【図１２】
2007318533.tif 000014
【図１３】
2007318533.tif 000015
【図１４】
2007318533.tif 000016
【図１５】
2007318533.tif 000017
【図１６】
2007318533.tif 000018
【図１７】
2007318533.tif 000019
【図１８】
2007318533.tif 000020
【図１９】
2007318533.tif 000021
【図２０】
2007318533.tif 000022
【図２１】
2007318533.tif 000023
【図２２】
2007318533.tif 000024
【図２３】
2007318533.tif 000025
【図２４】
2007318533.tif 000026